(57)【要約】【課題】表示形状部の形状や配置等の自由度が高く、しかも設置が容易な表示体を提供する。【解決手段】発泡スチロールの板状体からなり少なくとも一方の表面に表示形状部１３を有する第１の部材１１と、発泡スチロールからなる第２の部材１２とを備え、第１の部材１１の縁部と第２の部材１２とに発泡スチロールの弾性により互いに嵌合可能な嵌合部２８を有し、嵌合部２８により第１の部材１１と第２の部材１２とを嵌合することで、第２の部材１２に対して表示形状部１３を所定位置に視認可能に配置している。【選択図】図１
0003167946.tif 000002
【実用新案登録請求の範囲】
【請求項１】
発泡スチロールの板状体からなり少なくとも一方の側から視認される表示形状部を有する第１の部材と、発泡スチロールからなる第２の部材とを備え、
上記第１の部材の縁部と上記第２の部材との一方又は双方に、発泡スチロールの弾性により互いに嵌合可能な嵌合部を有し、該嵌合部により上記第１の部材と上記第２の部材とを嵌合することで、上記第２の部材に対して上記表示形状部を所定位置に視認可能に配置した、表示体。
【請求項２】
前記表示形状部は、前記発泡スチロールの板状体を厚み方向に貫通した中空部を有する、請求項１に記載の表示体。
【請求項３】
前記第２の部材はベース部とベース部上に接合された支柱部とを有し、該支柱部に前記嵌合部が設けられ、上記ベース部と上記支柱部との接合位置にウエイトが埋設されている、請求項１又は２に記載の表示体。
【請求項４】
前記表示形状部は発光部を有し、該発光部の電源が前記嵌合部に埋設され、前記ウエイトが前記電源より５倍以上重い、請求項３に記載の表示体。
【請求項５】
前記第２の部材は少なくとも一方の表面に表示形状部を有する板状体からなり、前記第１の部材の側縁と上記第２の部材の側縁とに前記嵌合部を有し、
上記第１の部材の表示形状部と上記第２の部材の表示形状部とが同じ向きに配置されるように上記嵌合部が互いに嵌合された状態で、水面に浮かべて設置される、請求項１又は２に記載の表示体。
【考案の詳細な説明】
【技術分野】
【０００１】
本考案は、発泡スチロールを用いて形成され、飲食店、催物会場などの広告媒体や看板などに好適に利用可能な各種の表示形状を有する表示体に関する。
【背景技術】
【０００２】
従来、文字、図形、記号、模様等の各種の表示形状を有する表示体が多数存在する。例えば看板、広告板、案内板等では板状体の表面に表示形状が塗装或いは立体形状等で設けられ、壁面や支柱等に設置されている。板状体の表面に、写真等が印刷されたりフィルム等が貼り付けられたものなどもある。
【考案の概要】
【考案が解決しようとする課題】
【０００３】
従来の表示体は、強度を確保するために硬質の材料が使用される場合が多かった。そのため作製に手間を要していた。大きな表示形状を形成する場合には重くなり、取り扱いに手間を要していた。特に表示形状を空間中に配置するような場合には表示形状の大きさに応じた支持部材が必要であり、設置にも手間を要していた。
【０００４】
そこで、本考案では、表示形状部の形状や配置等の自由度が高く、しかも設置が容易な表示体を提供することを目的とする。
【課題を解決するための手段】
【０００５】
上記課題を解決する表示体は、発泡スチロールの板状体からなり少なくとも一方の側から視認される表示形状部を有する第１の部材と、発泡スチロールからなる第２の部材とを備え、第１の部材の縁部と第２の部材との一方又は双方に、発泡スチロールの弾性により互いに嵌合可能な嵌合部を有し、嵌合部により第１の部材と第２の部材とを嵌合することで、第２の部材に対して表示形状部を所定位置に視認可能に配置している。
【０００６】
上記の構成によれば、第１の部材が発泡スチロールの板状体からなるため表示形状部を任意の形状に容易に形成できる。表示形状部が設けられた第１の部材が発泡スチロールの板状体であるため、発泡スチロールの弾性で第１の部材の縁部と第２の部材とを互いに嵌合するだけで、第２の部材に対して表示形状部をどのような位置にも容易に配置でき、その配置を維持することが可能である。しかも第１の部材と第２の部材とが発泡スチロールからなるため表示体全体が軽量であり、表示体の設置作業が極めて容易である。従って、表示形状部の形状や配置等の自由度が高く、しかも設置が容易である。
【０００７】
表示形状部は、発泡スチロールの板状体を厚み方向に貫通した中空部を有するのがよい。表示形状部が貫通した中空部を有していると、表示形状部を透過して背景と表示形状とが視認されるため、表示形状部の外観品質を向上できる。
また表示形状部に貫通した中空部を有していれば、風圧を受けた際中空部を風が通り抜けることができ、表示形状部に負荷される風圧を低減できる。表示体が発泡スチロールにより軽量に形成され、第１の部材と第２の部材とが発泡スチロールの弾性で嵌合されただけであっても、風で表示体が倒れたり表示形状部が傾くことを防止できる。
【０００８】
第２の部材がベース部とベース部上に接合された支柱部とを有している場合、支柱部に嵌合部が設けられ、ベース部と支柱部との接合位置にウエイトが埋設されているのがよい。ベース部と支柱部との接合位置にウエイトを埋設することで重心を低くできる。そのため発泡スチロールからなる表示体であっても、第２の部材を立てた状態で安定して設置でき、表示形状部を高い位置に配置できる。しかもウエイトが埋設されているため、外部から視認されることがなく、外観品質を確保できる。
【０００９】
表示形状部は発光部を有していてもよく、発光部の電源が嵌合部に埋設され、ウエイトが電源より５倍以上重いのが好適である。発光部を発光させることで表示形状の外観品質をより向上できる。このようにしていても、電源が嵌合部に埋設されるため、外部から視認されることがなく外観品質が悪化しない。しかも、電源を嵌合部に埋設していてもウエイトにより重心を低くすることができるため、立てた状態で安定して設置可能である。
【００１０】
第２の部材は少なくとも一方の表面に表示形状部を有する板状体からなり、第１の部材の側縁と第２の部材の側縁とに嵌合部を有し、第１の部材の表示形状部と第２の部材の表示形状部とが同じ向きに配置されるように嵌合部が互いに嵌合された状態で、水面に浮かべて設置される構成としてもよい。
【００１１】
第２の部材も発泡スチロールからなる板状体からなり表示形状部を有しているため、第１の部材の側縁と第２の部材の側縁とを嵌合することで、第１の部材の表示形状部と第２の表示形状部とを互いに横方向の所定位置に配置することができ、全体として大きな表示形状を形成することができる。しかも両者が発泡スチロールからなり、分割も可能であるため、全体として大きな表示形状であっても容易に設置できる。特に、第１の部材及び第２の部材が何れも発泡スチロールの板状体からなるため、大きな表示形状部を水面上に配置できる。そのため水面上に表示形状を表示する特異な表示形態を実現でき、周囲の水面と表示形状部との組み合せにより優れた美観と興趣を奏することができる。
【考案の効果】
【００１２】
本考案の表示体によれば、表示形状部を有する第１の部材と第２の部材とが発泡スチロールからなり、これらが発泡スチロールの弾性により互いに嵌合されることで、第２の部材に対して表示形状部を所定位置に視認可能に配置している。そのため表示形状部の形状や配置等の自由度が高く、しかも設置が容易な表示体を提供することができる。
【図面の簡単な説明】
【００１３】
【図１】（ａ）は本考案の第１実施形態に係る表示体の正面図、（ｂ）は側面図、（ｃ）はベース部と支柱部との接合位置における断面図である。
【図２】本考案の第１実施形態に係る変形例を示す斜視図である。
【図３】本考案の第１実施形態に係る他の変形例を示す斜視図である。
【図４】（ａ）は本考案の第２実施形態に係る表示体の斜視図、（ｂ）は部分断面図であり、（ｃ）は第２実施形態に係る表示体の変形例を示す部分断面図である。
【図５】（ａ）は本考案の第３実施形態に係る表示体の正面図、（ｂ）は設置状態を示す斜視図である。
【考案を実施するための形態】
【００１４】
以下、本考案の幾つかの実施形態について図を用いて説明する。
［第１実施形態］
図１（ａ）〜（ｃ）は第１実施形態の表示体１０を示す。表示体１０は、発泡スチロールからなる板状体の第１の部材１１と、発泡スチロールからなる柱状の第２の部材１２とを備える。
【００１５】
第１の部材１１は一方の側から視認可能な表示形状部１３が形成されている。表示形状部１３の表示形状は任意であるが、この実施形態ではハート形状のような図形形状１４、「Ｗｅｌｃｏｍｅ」、「ＴＡＲＯ  ＆  ＨＡＮＡＫＯ」、日付のような文字形状１５等により表示形状が構成されている。図形形状１４の下端縁には嵌合凸部１６が設けられている。第１の部材１１の輪郭はハート形状のような図形形状１４の上部に、「Ｗｅｌｃｏｍｅ」のような文字形状１５がデザイン化されて配置された複雑な形状となっている。
【００１６】
この表示形状部１３では、さらに発泡スチロールの板状体を厚み方向に貫通した中空部１７が設けられており、「ＴＡＲＯ  ＆  ＨＡＮＡＫＯ」の文字の周囲が貫通した中空部１７となっている。また、「Ｗｅｌｃｏｍｅ」の文字は文字輪郭の周囲に対して内側が凹んだ形状となっている。ハート形状のような図形形状１４の全体と、「Ｗｅｌｃｏｍｅ」の周囲と、「ＴＡＲＯ  ＆  ＨＡＮＡＫＯ」のような文字形状とが、水性塗料により着色されている。なお「日付」は他の色により着色されている。
【００１７】
一方、第２の部材１２はベース部１８とベース部１８上に接合された支柱部２１とを有している。ベース部１８及び支柱部２１の形状は任意であるが、この実施形態では、図中最も底部に配置された一段がベース部１８であり、底面が平面形状となっている。ベース部１８は水平断面形状が四角形状に形成されている。
支柱部２１は、この実施形態では、上下の複数段状に形成された下ブロック部２２及び上ブロック部２３と、その間の柱部２４とを有する。下ブロック部２２及び上ブロック部２３は水平断面が四角形状に形成され、柱部２４は多数の縦筋２５を有する異形形状に形成されている。
【００１８】
この第２の部材１２では、ベース部１８と支柱部２１とが互いに対向する接合位置において水性接着材により接合されている。ベース部１８の接合位置には、内側に凹み部２６が形成されており、凹み部２６に所定の重さのウエイト２７が埋設されている。ウエイト２７は所望の重量が確保できる部材であればよいが、ここでは金属板により形成されている。ウエイト２７は表裏面を略水平方向に向けた状態で凹み部２６に収容されており、ベース部１８の周囲から視認不能となるように全周がベース部１８を構成する発泡スチロールにより囲まれた状態となっている。
【００１９】
第１の部材１１と第２の部材１２とは、第１の部材１１及び第２の部材１２に設けられた嵌合部２８により互いに嵌合して固定されている。嵌合部２８では、第１の部材１１の下端縁に設けられた嵌合凸部１６が第２の部材１２の支柱部２１における上ブロック部２３の嵌合凹部２９に挿入されることで、発泡スチロールの弾性により互いに嵌合している。
【００２０】
嵌合部２８により第１の部材１１と第２の部材１２とが互いに嵌合されることで、第１の部材１１が第２の部材１２の上部に、表示形状部１３を側方に向けた状態で配置されている。表示形状部１３の全面が側方から視認可能である。
【００２１】
以上のような表示体１０によれば、第１の部材１１が発泡スチロールの板状体からなるため表示形状部１３を任意の形状に容易に形成できる。表示形状部１３が設けられた第１の部材１１が発泡スチロールの板状体であるため、発泡スチロールの弾性で第１の部材１１の縁部と第２の部材１２とを互いに嵌合するだけで、第２の部材１２に対して表示形状部１３をどのような位置にも容易に配置でき、その配置を維持することが可能である。しかも第１の部材１１と第２の部材１２とが発泡スチロールからなるため表示体１０全体が軽量であり、表示体１０の設置作業が極めて容易である。従って、表示形状部１３の形状や配置等の自由度が高く、しかも設置が容易である。
【００２２】
第１の部材１１の表示形状部１３は、発泡スチロールの板状体を厚み方向に貫通した中空部１７を有しているので、表示形状が視認された際、表示形状部１３を透過して背景と表示形状とが視認されるため、表示形状部１３の外観品質をより向上できる。表示形状部１３に中空部１７を有していれば、風圧を受けた際、風が中空部１７を通り抜けることができ、表示形状部１３に負荷される風圧を低減できる。表示体１０が発泡スチロールにより軽量に形成され、第１の部材１１と第２の部材１２とが発泡スチロールの弾性で嵌合されただけであっても、風で表示体１０が倒れたり表示形状部１３が傾くことを防止できる。
【００２３】
ベース部１８と支柱部２１との接合部分にウエイト２７を埋設しているので、表示体１０の重心を低くできる。そのため発泡スチロールからなる表示体１０であっても、第２の部材１２を立てた状態で安定して設置でき、表示形状部１３を高い位置に配置できる。ウエイト２７が埋設されているため、外部から視認されることがなく、外観品質を確保できる。しかもウエイトが露出しないため、設置面を傷付けることなども防止できる。
【００２４】
上記実施の形態は本考案の範囲内において、適宜変更可能である。
例えば上記では、１本の第２の部材１２を用いた例について説明したが、例えば図２に示すように複数枚の支持板からなる第２の部材１２を用い、それぞれ第１の部材１１の下端縁の嵌合凸部１６において、各第２の部材１２の嵌合凹部２９に嵌合させてもよい。
【００２５】
また、図３に示すように、複数の柱形状を有する第２の部材１２を用い、それぞれ第１の部材１１の下端縁の嵌合凸部１６において、各第２の部材１２の嵌合凹部２９に嵌合させてもよい。この場合、第２の部材１２には上記と同様に、ベース部１８上に支柱部２１を接合し、その接合位置にウエイト２７を埋設することが可能である。
なお、図２及び図３の表示形状部１３にも、図示は省略しているが、文字、記号、図形、模様等の各種の表示形状が表示されている。
【００２６】
［第２実施形態］
図４（ａ）（ｂ）は第２実施形態に係る表示体１０を示す。
この表示体１０では、第１の部材１１の表示形状部１３が、ハート形状のような図形形状１４、「Ｗｅｌｃｏｍｅ」、「ＴＡＲＯ  ＆  ＨＡＮＡＫＯ」、日付のような文字形状１５等により表示形状が構成されている。図形形状１４は全体が板状に形成され、ハート形状の筋状凹部３１が設けられ、「ＴＡＲＯ  ＆  ＨＡＮＡＫＯ」、日付のような文字形状１５はその表面に印刷や着色等により表示されている。図形形状１４の上部には一部の文字形状１５との間に中空部１７が設けられている。図形形状１４には筋状凹部３１の外側周囲に複数の発光部３２が設けられている。発光部３２は特に限定されるものではないが、例えばＬＥＤを用いてもよい。
【００２７】
第２の部材１２では、図４（ｂ）に示すように、上ブロック部２３の嵌合凹部２９の内部に、更に凹ませて凹部３３が設けられ、この凹部３３内に発光部３２を点灯させるための電源３４等が埋設されている。詳細な図示は省略しているが、電源３４は例えば電池等からなり、第１の部材１１の発光部３２と通電可能に配線等により接続されている。配線は第１の部材１１の裏面側に埋設してもよい。
【００２８】
第２の部材１２のベース部１８には第１実施形態と同様に凹み部２６が形成されて、ウエイト２７が埋設されている。このウエイト２７は電源３４よりも５倍以上重いものとなっている。ウエイト２７は運搬や設置作業を容易にするため電源３４よりも３０倍以下、或いは３Ｋｇ以下とするのが好適である。その他は第１の実施形態と同様である。
【００２９】
このような構成であっても、第１実施形態と同様の作用効果を得ることが可能である。しかも、発光部３２を発光させることで表示形状の外観品質をより向上でき、このようにしていても、電源３４が嵌合部２８に埋設されるため、外部から視認されることがなく外観品質が悪化しない。さらに電源３４を嵌合部２８に埋設していてもウエイト２７により重心を低くすることができるため、立てた状態で安定して設置可能である。
【００３０】
なお、本第２の実施形態では第１の部材１１及び第２の部材１２は他の形状であってもよい。例えば第１の部材１１として第１実施形態と同じ形状を有して発光部３２を適宜な位置に配設することも可能である。
また上記では電源３４を嵌合凹部２９の底部に設けた凹部３３に収容した例について説明したが、他の位置に電源３４を配置することもできる。例えば図４（ｃ）に示すように、嵌合凹部３３の上端に隣接する位置に凹部３３を設けて電源３４を埋設してもよい。このようにすれば、嵌合凹部３３に嵌合された第１の部材１１の嵌合凸部１６を硬質の電源３４により加圧したり、係止したりでき、第１の部材１１をより安定して第２の部材１２上に配置することができる。
【００３１】
［第３実施形態］
図５（ａ）、（ｂ）は第３実施形態に係る表示体１０を示す。
この表示体１０では、第１の部材１１及び第２の部材１２は同様の構成でよく、それぞれ数に制限はないが、この実施形態では「Ｌ」、「Ｏ」、「Ｖ」又は「Ｅ」のような文字形状の表示形状部１３を有する４個の第１の部材１１と、ハート形状のような図形形状の表示形状部１３を有する１個の第２の部材１２とを備える。
【００３２】
第１の部材１１は発泡スチロールの板状体からなり、それぞれ側縁に嵌合凸部１６及び嵌合凹部２９の一方又は双方が設けられている。第２の部材１２も発泡スチロールの板状体からなり、側縁に嵌合凸部１６及び嵌合凹部２９の一方又は双方が設けられていればよいが、ここでは嵌合凹部２９が複数個設けられている。この第２の部材１２の表示形状部１３にはさらに文字形状が印刷や着色などにより表示されている。
【００３３】
第３実施形態の表示体１０では、第１の部材１１及び第２の部材１２を互いに隣接させ、それぞれ嵌合凸部１６と嵌合凹部２９とを発泡スチロールの弾性により嵌合することで、第１の部材１１の表示形状部１３と第２の部材１２の表示形状部１３とを同じ向きに、互いに所定位置に配置した状態で構成されている。
【００３４】
この表示体１０は、図５（ｂ）に示すように、第１の部材１１及び第２の部材１２が互いに嵌合した状態で、例えばプール等の水面に浮かべて設置される。
【００３５】
このような表示体１０によれば、第１の部材１１と第２の部材１２とが発泡スチロール製の板状体からなり、それぞれに表示形状部１３を有しているため、第１の部材１１の側縁と第２の部材１２の側縁とを嵌合することで、第１の部材１１の表示形状部１３と第２の表示形状部１３とを互いに横方向の所定位置に配置することができる。そのため全体として大きな表示形状を形成可能である。両者が発泡スチロールからなり分割も可能であるため、大きな表示形状を形成できても取り扱いが容易であり、容易に設置可能である。
【００３６】
特に第１の部材１１及び第２の部材１２が何れも発泡スチロールの板状体からなるため、大きな表示形状部１３を水面上に配置できる。そのため水面上に表示形状を表示する特異な表示形態を実現でき、周囲の水面と表示形状部１３との組み合せにより優れた美観を奏することができる。
【００３７】
上記第１乃至第３実施形態は、本発明の範囲内において適宜変更可能である。例えば上記では、表示形状部１３として特定の図形及び文字を用いた例について説明したが、表示形状部１３は文字、図形、記号、模様等、視認可能であればどのようなものであってもよい。
また、第１の部材１１の一方の表面だけではなく、他方の表面にも表示形状部を設けることも可能である。
【符号の説明】
【００３８】
１０  表示体
１１  第１の部材
１２  第２の部材
１３  表示形状部
１４  図形形状
１５  文字形状
１６  嵌合凸部
１７  中空部
１８  ベース部
２１  支柱部
２２  下ブロック部
２３  上ブロック部
２４  柱部
２５  縦筋
２６  凹み部
２７  ウエイト
２８  嵌合部
２９  嵌合凹部
３１  筋状凹部
３２  発光部
３３  凹部
３４  電源
【図１】
0003167946.tif 000003
【図２】
0003167946.tif 000004
【図３】
0003167946.tif 000005
【図４】
0003167946.tif 000006
【図５】
0003167946.tif 000007